(57)【要約】【課題】スラブ型枠上に設置された下端鉄筋の上方へのブロックの配置に際し、その支持位置又は配置位置の設定の自由度を高めること。【解決手段】複数のブロック（１２）が埋設された鉄筋コンクリート床スラブを形成するためのスラブ型枠（１４）上に設置された下端鉄筋（１６）の上方に各ブロックを支持するために用いられる支持具（１０）であって、脚（２２）と、脚から上方へ伸びる、ブロックに突き刺し可能である突起（２４）と、突起の周囲の全部又は一部を取り巻く鍔（２６）とを備える。【選択図】図１
2005076313.tif 000002
【特許請求の範囲】
【請求項１】
複数のブロックが埋設された鉄筋コンクリート床スラブを形成するためのスラブ型枠上に設置された下端鉄筋の上方に各ブロックを支持するために用いられる支持具であって、
脚と、該脚から上方へ伸びる、前記ブロックに突き刺し可能である突起と、該突起の周囲の全部又は一部を取り巻く鍔とを備える、支持具。
【請求項２】
前記下端鉄筋は、互いに直交する複数の上方の鉄筋部及び複数の下方の鉄筋部からなり、前記脚は、上下の両鉄筋部の交差箇所において前記上方の鉄筋部及び前記下方の鉄筋部をこれらの上方から受入れかつこれらの挿通を許す鉄筋部挿通空間と、前記スラブ型枠に当接可能の底面とを有する、請求項１に記載の支持具。
【請求項３】
さらに、前記脚の鉄筋部挿通空間に設けられた互いに他の一方に向けて上方へ伸びる一対のアーム部を備え、両アーム部はこれらの間を前記下方の鉄筋部が上方に向けて通過するように弾性変形可能であり、また、通過後の前記下方の鉄筋部を支持可能である、請求項２に記載の支持具。
【発明の詳細な説明】
【技術分野】
【０００１】
本発明は、鉄筋コンクリート床スラブの形成に際し、該鉄筋コンクリート床スラブ中に埋設される複数のブロックをスラブ型枠の上方、より詳細には前記スラブ型枠上に設置される下端鉄筋の上方に支持するために用いられる支持具に関する。
【背景技術】
【０００２】
前記鉄筋コンクリート床スラブ中に空洞（ボイド）を形成することに代えて、コンクリート中に該コンクリートとは異質の材料である発泡スチロールのような発泡プラスチック材料からなる軽量のブロックを埋設し、該ブロックをもって鉄筋コンクリート床スラブ中に形成された実質的なボイドとすることが行われている。
【０００３】
前記ブロックは、スラブ型枠上へのコンクリートの打設に先立ち、前記スラブ型枠上に予め設置された下端鉄筋の上方に支持される。
【０００４】
従来、前記ブロックの支持のため、前記下端鉄筋上に載置されるブロックの頂面に、前記下端鉄筋の上方に間隔をおいて配置される上端鉄筋の一部を受入れるための２条の溝が設けられている（特許文献１参照）。また、ブロックに、前記スラブ型枠を貫通して上下方向へ伸びる複数のロッドが通される複数の貫通孔が設けられ、前記ロッドにはさらに前記ブロックが載置される鍔が設けられている（特許文献２参照）。
【０００５】
しかし、ブロックに設けられた前記溝及び貫通孔と、前記上端鉄筋及び前記ロッドとの関係において、前記ブロックの支持位置又は配置位置が制限されるという問題がある。
【０００６】
【特許文献１】特開２００２−２６６４５７号公報
【特許文献２】特開２００１−３５０６号公報
【発明の開示】
【発明が解決しようとする課題】
【０００７】
本発明の目的は、スラブ型枠上に設置された下端鉄筋の上方へのブロックの配置に際し、その支持位置又は配置位置の設定の自由度を高めることにある。
【課題を解決するための手段】
【０００８】
本発明は、複数のブロックが埋設された鉄筋コンクリート床スラブを形成するためのスラブ型枠上に設置された下端鉄筋の上方に各ブロックを支持するために用いられる支持具であって、脚と、該脚から上方へ伸びる、前記ブロックに突き刺し可能である突起と、該突起の周囲の全部又は一部を取り巻く鍔とを備える。
【０００９】
前記脚は、互いに直交する複数の上方の鉄筋部及び複数の下方の鉄筋部からなる下端鉄筋の上下の両鉄筋部の交差箇所において上方の鉄筋部及び下方の鉄筋部をこれらの上方から受入れ可能でありかつこれらの挿通を許す鉄筋部挿通空間を有し、また前記スラブ型枠に当接可能の底面を有するものとすることができる。
【００１０】
支持具は、さらに、前記脚の鉄筋部挿通空間に設けられた互いに他の一方に向けて上方へ伸びる一対のアーム部を有するものとすることができる。両アーム部はこれらの間を前記下方の鉄筋部が上方に向けて通過するように弾性変形可能であり、また、通過後の前記下方の鉄筋部を支持可能である。
ができる。
【発明の効果】
【００１１】
本発明によれば、支持具はブロックに突き刺し可能の突起を有し、また前記突起の周囲に鍔を有することから、スラブ型枠上に並べた複数の支持具の突起に前記ブロックを突き刺すことにより、あるいはブロックに突起が突き刺された複数の支持具を前記スラブ型枠上に載置することにより、前記スラブ型枠上の任意の位置に前記ブロックを容易に配置することができる。支持具の鍔はその突起への前記ブロックの突き刺さりを制限し、前記スラブ型枠に対する前記ブロックの傾きの発生を防止する。
【００１２】
支持具の脚に、前記下端鉄筋の互いに交差する上下両鉄筋部の一部をこれらの交差部で受入れ可能でありかつこれらの挿通を許す空間を設け、かつ前記スラブ型枠に当接可能である底面を設けるときは、前記支持具が前記下端鉄筋によって水平方向へ移動しないように前記スラブ型枠上に配置することができる。このとき、各支持具は予め定まった場所である上下両鉄筋部の各交差部に配置されることとなるが、これらの支持具による前記ブロックの支持は、これらの支持具の突起への突き刺しにより行い、また前記ブロックにおける突き刺し位置は任意に選択することができることから、前記ブロックの配置位置もまた任意に定めることができる。また、前記脚の鉄筋部挿通空間が、両鉄筋部をこれらの上方から受入れ可能であるように形成されていることから、前記脚で両鉄筋部の交差部を覆い被せるようにして、前記支持具の配置を容易に行うことができる。
【００１３】
一対のアーム部を有する支持具によれば、両アーム部を前記下方の鉄筋部に押し当てることにより弾性変形をする両アーム部材間を通して該鉄筋部を前記脚の空間に受入れ、さらに通過後に両アーム部材上に前記鉄筋部を支持することができる。その結果、ブロックの支持具によって、前記下端鉄筋をも前記スラブ型枠の上方位置に支持することができる。
【発明を実施するための最良の形態】
【００１４】
図１を参照すると、本発明に係る支持具が全体に符号１０で示されている。
【００１５】
支持具１０は、鉄筋コンクリート床スラブ（図示せず）の形成に際し、現場打ちコンクリートの打設前に、前記鉄筋コンクリート床スラブ中に埋設されるブロック１２（図４及び図５）を支持するために用いられる。
【００１６】
ブロック１２は、前記鉄筋コンクリート床スラブの厚さ寸法の増大に伴う該床スラブの軽量化に資する材料、例えば発泡スチロールのような発泡プラスチック材料で形成されている。
【００１７】
前記鉄筋コンクリート床スラブの形成のため、板状のスラブ型枠１４が設置され、該スラブ型枠の上方に下端鉄筋１６が配置される。下端鉄筋１６は全体に格子状を呈し、縦横に組まれた複数の下方の鉄筋部１８及び複数の上方の鉄筋部２０からなる。
【００１８】
ブロック１２を支持するための支持具１０は、例えばプラスチック材料からなり、脚２２と、該脚から上方へ伸びる、ブロック１２に突き刺し可能である突起２４と、該突起の周囲の全部を取り巻く鍔２６とを備える。
【００１９】
図示の脚２２は、互いに相対する２対の側面２８，３０であって側面２８，３０が互いに隣接しかつ直交する２対の側面２８，３０と、空間３２と、平坦な底面３６とを有する。
【００２０】
空間３２は各対の側面２８，３０と、底面３６とに開口している。空間３２の開口は、１対の側面２８においてほぼ矩形状（図１）を呈し、１対の側面において逆Ｕ字形状（図２）を呈し、また底面３６において矩形状（図示せず）を呈する。側面２８における矩形の開口３４及び側面３０における逆Ｕ字形の開口３５は、それぞれ、下端鉄筋の下方の鉄筋部１８及び上方の鉄筋部２０が挿通可能である大きさを有し、また両鉄筋部１８，２０の直径の合計より大きい高さ寸法を有する。これらのことから、空間３２は、上下の両鉄筋部１８，２０の交差箇所において、両鉄筋部１８，２０をこれらの上方から受入れ可能であり、かつ両鉄筋部１８，２０の挿通を許す。
【００２１】
したがって、支持具１０は、その脚２２が両鉄筋部１８，２０の交差箇所を覆うように又は該交差箇所に跨るように、前記交差箇所の上方からスラブ型枠１４上に配置することができる。
【００２２】
空間３２が、その頂部に、鉄筋部１８，２０の直径にほぼ等しい直径を有する半円形部分３８，４０を有するものとすることができる。これによれば、これらの半径部分３８，４０に受け入れられ該半径部分を挿通する鉄筋部１８，２０の前記穴内におけるがたつきを防止することができる。
【００２３】
支持具の脚２２は、好ましくは、２対のアーム４２部を有する。２対のアーム部４２は、図１で見て、下方の鉄筋部１８の軸線方向へ互いに間隔をおいて、より詳細には上方の鉄筋部２０の直径に相当する間隔をおいて配置されている。アーム部４２は、その数量を２対とする図示の例に代えて、１対とすることができる。
【００２４】
各対のアーム部４２は、脚２２の底面３６の上方に位置する基部４３から互いに他の一方へ向けて斜め上方へ伸び、これらの上端部４４において互いに接している。各アーム部４２は、図示の例のように、上端部４４からさらにＬ形に伸びる先端部分４６を有するものとすることができる。
【００２５】
各対のアーム部４２は、支持具の脚２２が両鉄筋部１８，２０の前記交差部に跨りかつスラブ型枠１４に接するように配置されるとき、空間３２に受け入れられる下方の鉄筋部１８からの押圧力を受け、各対のアーム部４２はこれらの基部４３において弾性変形し、これらの上端部４４が互いに離れる。次いで、各対のアーム部の上端部４４を通過した鉄筋部１８はその一部が空間の半円形部分４０に到達する。
【００２６】
各対のアーム部の上端部４４間を経て半円形部分４０に到達した鉄筋部１８は、前記アーム部の上端部４４上に支持される。このとき、前記アーム部の先端部分４６は鉄筋部１８の周囲を部分的に取り巻き、これを保持する。このとき、同時に、下端鉄筋１６もスラブ型枠１４の上方位置に支持される。
【００２７】
次に、支持具の突起２４は、図示の例では、十字形の横断面形状を呈するように組み合わされた２つの先細の板部からなる。突起２４は、前記ブロックに突き刺し可能である限り、その断面形状は問わない。
【００２８】
また、支持具の鍔２６は、ブロック１２に対する突起２４の突き刺さり量を制限する作用、すなわちブロック１２を所定の高さ位置に受け止める作用をなす。
【００２９】
鍔２６は、突起２４の周囲の全部を取り巻く１の円板部で構成された図示の例に代えて、突起の周囲の一部を取り巻く１又は複数の板部からなるものとし、また円形以外の例えば矩形のような平面形状を有するものとすることができる。
【００３０】
また、鍔２６の高さ位置は、突起２４に対するブロック１２の突き刺さり量を考慮して、突起２４の高さ位置のほぼ中間に位置する図示の例に代えて、前記中間位置より上方又は下方に任意に定めることができる。
【００３１】
図示のブロック１２は、前記鉄筋コンクリート床スラブにおける騒音レベルの低下を意図して、その頂面がほぼ正弦曲線の一部からなる断面形状を有するものに設定されている。しかし、前記ブロックは、図示の例に限らず、任意の形状のもの、例えば直方体形状のものであってもよい。
【００３２】
ブロック１２は、好ましくは、その底面からそのその四隅において突き刺された４つの支持具１０をもって支持する。スラブ型枠１４又は下端鉄筋１６上におけるブロック１２の配置位置は、所定位置（下端鉄筋１６の前記交差箇所）に配置された支持具１０に対するブロック１２の突き刺し位置によって定めることができる。
【００３３】
また、予めブロック１２に突き刺した複数の支持具１０を床スラブ１４上又は下端鉄筋１６上に配置することによっても、ブロック１２を下端鉄筋１６の上方位置に配置することができる。
【００３４】
複数のブロック１２を含む前記鉄筋コンクリート床スラブは、本発明に係る支持具１０により下端鉄筋１６の上方位置に複数のブロック１２を設置した後、これらのブロック１２の上方に上端鉄筋４８（図４及び図５）を配置し、ブロック１２を適当な固定手段（図示せず）によりスラブ型枠１４に固定し後、スラブ型枠１４上にコンクリートを打設することにより形成される。支持具１０は、ブロック１２と共に前記コンクリート中に埋設される。
【００３５】
なお、下端鉄筋の鉄筋部１８を受け入れる半円形部分４０にその開放端からその内方へ水平に伸びかつ互いに相対する一対のフラップ５０を設けることができる。フラップ５０は弾性変形可能であり、半円形部分４０に受け入れられる鉄筋部１８の直径が図示の例におけるより小さい場合、該鉄筋部によって両フラップ５０が折り曲げられるとき、その弾性復元力により、前記鉄筋部を半円形部分４０の中心軸線上に据える作用をなす。
【００３６】
なお、脚２２の補強のため、各側面３０に、開口３５の周囲をこれに沿って伸びる逆Ｕ字形のリブが設けられている。
【図面の簡単な説明】
【００３７】
【図１】本発明に係る支持具の正面図である。
【図２】支持具の側面図である。
【図３】図１の線２−２に沿って得た縦断面図である。
【図４】ブロック１２及びこれを支持する支持具が配置されたスラブ型枠の縦断面図である。
【図５】図４の線５−５に沿って得た縦断面図である。
【符号の説明】
【００３８】
１０  支持具
１２  ブロック
１４  スラブ型枠
１６  下端鉄筋
２２，２４，２６  支持具の脚、突起及び鍔
３２  脚部の空間
４２  アーム部
【図１】
2005076313.tif 000003
【図２】
2005076313.tif 000004
【図３】
2005076313.tif 000005
【図４】
2005076313.tif 000006
【図５】
2005076313.tif 000007